(57)【要約】【課題】  上部鏡と下部鏡のうち一方の鏡のみを手前に折り曲げ操作するだけで、上下両方の鏡をユーザー側に折り曲げて、従来は見えにくかった頭の上部や顔の下部を容易に見ることができる縦型三面鏡を提供する。【解決手段】  縦型三面鏡１は、床面に対してほぼ垂直に配置される中部鏡２０と、この中部鏡の上部および下部にそれぞれ連結して設けられユーザー側にそれぞれ折り曲げ動作可能な上部鏡２１および下部鏡２２とにより、鏡部２３が構成されている。そして、中部鏡に連動機構を設け、下部鏡をユーザーが折り曲げ操作することにより、連動機構を介して上部鏡も連動して折り曲げ動作する。【選択図】    図２
2005287540.tif 000002
【特許請求の範囲】
【請求項１】
床面に対してほぼ垂直に配置される中部鏡または平面材と、この中部鏡または前記平面材の上部および下部にそれぞれ連結して設けられユーザー側にそれぞれ折り曲げ動作可能な上部鏡および下部鏡とにより鏡部が構成された縦型三面鏡であって、
前記中部鏡または前記平面材に連動機構を設け、前記上部鏡および前記下部鏡のうち一方の鏡をユーザーが折り曲げ操作することにより、前記連動機構を介して他方の鏡も連動して折り曲げ動作するようにしたことを特徴とする縦型三面鏡。
【請求項２】
請求項１に記載の縦型三面鏡であって、
この縦型三面鏡は、床面に設置されたキャビネットと、このキャビネットに引き出し収納自在に設けられ内部に被収納物を収納可能な引き出しとにより構成される収納庫を有し、前記鏡部を前記引き出しの前面に設けたことを特徴とする縦型三面鏡。
【請求項３】
請求項２に記載の縦型三面鏡であって、
前記収納庫を洗面化粧台の側部に設置し、前記鏡部を揺動手段を介して水平方向に揺動可能に前記引き出しにより支持し、
前記鏡部は、前記洗面化粧台の前方にいるユーザーの方向を向いて使用可能であり、非使用時にはこの鏡部を前方に向けた状態で前記引き出しの前面に位置決め保持可能であることを特徴とする縦型三面鏡。
【請求項４】
請求項２または３に記載の縦型三面鏡であって、
この縦型三面鏡は、前記下部鏡の裏面側の下方内部に設けられ一方側に付勢されて揺動可能な爪部材と、前記引き出しの前面に設けられ、前記爪部材を係合離脱可能に係止する係止部材とにより構成されるロック機構を有し、
前記下部鏡を後方に押せば前記爪部材が前記係止部材に係止され、前記爪部材を付勢力に抗して手前に操作すれば前記爪部材が前記係止部材から離脱して前記下部鏡を折り曲げ可能であることを特徴とする縦型三面鏡。
【発明の詳細な説明】
【技術分野】
【０００１】
本発明は、中部鏡または平面材の上部と下部に、それぞれ折り曲げ動作可能な上部鏡および下部鏡を設けた縦型三面鏡に関する。
【背景技術】
【０００２】
洗面室などに設置される従来の鏡の一種として、一面鏡のほかに三面鏡があり、この三面鏡は、中部鏡が固定され左右の鏡が連動せず独立して角度を変えられる構成になっている。三面鏡は、顔の正面，左側，右側を確認するためのものであるので、頭の上部や顔の下部の確認はできない。
近年、老若男女とも髪を染めることが多く、また、特に中年男性ではかつらの確認や育毛剤の使用などがあり、これらの場合には頭の上部を確認する機会が増えてきている。ところが、上述のような従来の一面鏡や三面鏡では、頭の上部や顔の下部を見ることは困難であり、見ようとすればもう一枚鏡を持ってくる必要があった。
【０００３】
そこで、特許文献１（実開平５−５５９５７号公報）には、中央部の主鏡と、この主鏡の上方および下方にそれぞれ前方側へ回動可能な補助鏡とを有する鏡が提案されている。この鏡によれば、下補助鏡で顎の下の髭の剃り残しなどを確認し、上補助鏡でヘヤースタイルなどを確認できるようにしている。
【特許文献１】実開平５−５５９５７号公報
【発明の開示】
【発明が解決しようとする課題】
【０００４】
しかしながら、特許文献１に記載された鏡では、上補助鏡と下補助鏡をそれぞれ個別に操作して折り曲げたり元に戻したりしなければならず操作が面倒であった。特に、上補助鏡は高い位置にあるので、上の方まで手を伸ばして操作しなければならず、ユーザーによっては上補助鏡まで手が届かない場合もあった。
【０００５】
本発明は、このような課題を解決するためになされたもので、上部鏡と下部鏡のうち一方の鏡のみを手前に折り曲げ操作するだけで、上下両方の鏡をユーザー側に折り曲げて、従来は見えにくかった頭の上部や顔の下部を容易に見ることができる縦型三面鏡を提供することを目的とする。
【課題を解決するための手段】
【０００６】
上述の目的を達成するため、本発明にかかる縦型三面鏡は、床面に対してほぼ垂直に配置される中部鏡または平面材と、この中部鏡または前記平面材の上部および下部にそれぞれ連結して設けられユーザー側にそれぞれ折り曲げ動作可能な上部鏡および下部鏡とにより鏡部が構成された縦型三面鏡であって、前記中部鏡または前記平面材に連動機構を設け、前記上部鏡および前記下部鏡のうち一方の鏡をユーザーが折り曲げ操作することにより、前記連動機構を介して他方の鏡も連動して折り曲げ動作するようにしている。
前記縦型三面鏡は、床面に設置されたキャビネットと、このキャビネットに引き出し収納自在に設けられ内部に被収納物を収納可能な引き出しとにより構成される収納庫を有し、前記鏡部を前記引き出しの前面に設けるのが好ましい。
この縦型三面鏡は、前記収納庫を洗面化粧台の側部に設置し、前記鏡部を揺動手段を介して水平方向に揺動可能に前記引き出しにより支持し、前記鏡部は、前記洗面化粧台の前方にいるユーザーの方向を向いて使用可能であり、非使用時にはこの鏡部を前方に向けた状態で前記引き出しの前面に位置決め保持可能であるのが好ましい。
この縦型三面鏡は、前記下部鏡の裏面側の下方内部に設けられ一方側に付勢されて揺動可能な爪部材と、前記引き出しの前面に設けられ、前記爪部材を係合離脱可能に係止する係止部材とにより構成されるロック機構を有し、前記下部鏡を後方に押せば前記爪部材が前記係止部材に係止され、前記爪部材を付勢力に抗して手前に操作すれば前記爪部材が前記係止部材から離脱して前記下部鏡を折り曲げ可能であるのが好ましい。
【発明の効果】
【０００７】
本発明の縦型三面鏡は、上述のように構成したので、上部鏡と下部鏡のうち一方の鏡のみを手前に折り曲げ操作するだけで、上下両方の鏡をユーザー側に折り曲げて、従来は見えにくかった頭の上部や顔の下部を容易に見ることができる。
【発明を実施するための最良の形態】
【０００８】
下記の実施例では、縦型三面鏡の中部鏡または平面材に連動機構を設け、上部鏡と下部鏡のうち一方の鏡のみを手前に折り曲げ操作するだけで、連動機構を介して上部鏡と下部鏡の両方をユーザー側に折り曲げ動作させることにより、頭の上部や顔の下部を容易に見ることができるようにするという目的を実現している。
下記の実施例では、縦型三面鏡が収納庫を有している場合を示しているが、収納庫がない場合であってもよい。すなわち、縦型三面鏡は、被収納物を収納する機能がなく単独で部屋の壁などに取付けられた場合であってもよい。
また、下記の実施例では、洗面室に設置された洗面化粧台の側部に縦型三面鏡を設置した場合を示しているが、収納庫を有する縦型三面鏡を、独立した家具とし、洗面室，寝室，居間など化粧や洗面をする部屋に設置した場合であってもよい。
【実施例】
【０００９】
以下、本発明にかかる実施例を図１ないし図７を参照して説明する。
図１ないし図７は本発明の一実施例を示す図で、図１は、縦型三面鏡と洗面化粧台の斜視図、図２は、図１に示す縦型三面鏡の使用状態を示す斜視図、図３は鏡部の斜視図、図４は、鏡部の使用時の状態を示す斜視図で、裏蓋の図示を省略している。
図５は、鏡部の内部の連動機構を示す説明図、図６は、中部鏡と上部鏡との連結部を示す斜視図、図７はロック機構を示す拡大断面図である。
【００１０】
図１，図２に示すように、洗面室２には洗面化粧台３が設置されている。縦型三面鏡１は、洗面化粧台３とは別個独立した家具として、または洗面化粧台３の付属的な家具として、洗面化粧台の側部に設置されている。縦型三面鏡１と洗面化粧台３は、洗面室２を形成する直角な壁１０，１１がなす隅部に配置されている。
洗面化粧台３は、床面Ｆに設置される洗面化粧台用キャビネット４と、洗面化粧台用キャビネット４の下部に位置して取付けられた洗面ボール５と、洗面ボール５より上方に位置して洗面化粧台用キャビネット４に取付けられたミラー部６とを有している。
ミラー部６は、前方（矢印Ｂ方向）を向く主鏡７および補助鏡８などを有している。縦型三面鏡１は、洗面化粧台３の左側部で且つ左側の壁１０に沿って洗面室２の隅に設置されている。
【００１１】
図１ないし図７に示すように、縦型三面鏡１において、床面Ｆに対してほぼ垂直に配置される中部鏡２０と、上部鏡２１および下部鏡２２とにより鏡部２３が構成されている。上部鏡２１および下部鏡２２は、中部鏡２０の上部および下部にそれぞれ連結して設けられ、ユーザー側にそれぞれ折り曲げ動作可能である。このように、鏡部２３は、中部鏡２０と上部鏡２１と下部鏡２２に三分割されている。
縦型三面鏡１は、中部鏡２０に連動機構２４を設け、上部鏡２１および下部鏡２２のうち一方の鏡（本実施例では、下部鏡２２）をユーザーが矢印Ｃに示すように折り曲げ操作することにより、連動機構２４を介して他方の鏡（本実施例では、上部鏡２１）も、一方の鏡と連動して矢印Ｃに示すように折り曲げ動作するようにしている。
【００１２】
したがって、縦型三面鏡１では、上部鏡２１と下部鏡２２のうち一方の鏡（本実施例では、下部鏡２２）のみを手前に折り曲げ操作するだけで、上下両方の鏡２１，２２がユーザー側に同時に折れ曲がるので、ユーザーは、上下の鏡２１，２２で頭の上部や顔の下部を容易に見ることができる。
下部鏡２２を手前に引くまたは後方に押すというワンアクションで、下部鏡２２と上部鏡２１の両方が同時に折れ曲がるので、操作が簡単で動作も迅速である。
なお、変形例として、上部鏡２１と下部鏡２２の間に位置する中部鏡２０に代えて、床面Ｆに対してほぼ垂直に配置される平面材を設け、この平面材に連動機構２４を設けた場合であっても、本発明における縦型三面鏡を構成するものとし、上述と同じ作用効果を奏する。
【００１３】
縦型三面鏡１は収納庫３０を有している。収納庫３０は、床面Ｆに設置されたキャビネット３１と、このキャビネット３１に引き出し収納自在に設けられ内部に被収納物を収納可能な引き出し３２とにより構成されている。鏡部２３は、引き出し３２の前面３３に設けられている。
収納庫３０は正面から見て縦に細長い形状なので、小さい間口（たとえば、１５０mm〜３００mmの間口）のスペースがあれば、収納庫３０を容易に設置することができるようになっている。
引き出し３２を移動させれば、この引き出し３２の前面３３に設けられた鏡部２３の位置を自在に調整することができるので、ユーザーにとって最適な位置に鏡部２３を位置させてこれを使用でき、使い勝手がよくなる。すなわち、引き出し３２の前面３３に鏡部２３を設けたので、引き出し３２を前方の任意の位置まで引き出すことにより、ユーザーは鏡部２３を自分に近いところで使用することができる。
縦型三面鏡１を独立した家具として構成することができ、また、縦型三面鏡１の収納庫３０は、被収納物を収納する機能を発揮することができる。
収納庫３０の前方側の扉を設けるところに鏡部２３を配置したので、鏡部２３自体のスペースは不要であり場所をとらない。
【００１４】
収納庫３０は、洗面化粧台３の側部（ここでは、左側部）に設置され、鏡部２３は、揺動手段３４を介して矢印Ｄに示すように水平方向に揺動可能に引き出し３２により支持されている。
鏡部２３は、引き出し３２の前面３３に設けられて水平方向に所定角度の範囲内（たとえば、０度〜９０度）で揺動可能なので、洗面化粧台３の前方（矢印Ｂ方向）にいるユーザーの方向に鏡部２３を向けて使用することができる（図２に示す状態）。
また、鏡部２３の非使用時には、この鏡部２３を前方（矢印Ｂ方向）に向けた状態で、引き出し３２の前面３３に位置決め保持可能である（図１に示す状態）。なお、鏡部２３の揺動可能な角度範囲は、０度〜９０度以上（または、９０度以下）の角度範囲であってもよい。
【００１５】
したがって、ユーザーは、洗面化粧台３の前方に座るかまたは立った状態で、主鏡７や補助鏡８を使って化粧や洗面を行いながら、縦型三面鏡１も使用することができる。ユーザーは、引き出し３２を所望の位置まで前方に引き出した状態で、鏡部２３を矢印Ｄに示すように水平方向に揺動させれば、鏡部２３はユーザーの方向を向くので、この鏡部２３を使用することができる。
こうして鏡部２３をユーザーの方向に向けて使用するときは、上部鏡２１と下部鏡２２を折り曲げた状態で使用する場合が多いが、上部鏡２１と下部鏡２２を折り曲げずに鏡部２３全体を真っ直ぐの状態で使用することもできる。
鏡部２３を使用した後は、鏡部２３を、反対方向に水平に揺動させ前方に向けた状態で、引き出し３２の前面３３に位置決め保持して収納することができる。そして、引き出し３２をキャビネット３１に収納すれば、鏡部２３が邪魔になることはない。こうして、引き出し３２がキャビネット３１に収納され、鏡部２３が前方を向いた状態では、この鏡部２３は主鏡７の補助的な鏡として使用することもできる。
【００１６】
鏡部２３は、折り曲げないで全体が真っ直ぐになった状態で、顔全体がうつる程度の幅広で上下方向に長い矩形状をなしており、引き出し３２の前面３３とほぼ同じ形状を有している。引き出し３２の前面３３には、一対の蝶番（たとえば、ヒンジ）３５が上部と下部の所定位置に取付けられている。
蝶番３５の一片は引き出し３２に取付けられ、蝶番３５の他片は中部鏡２０の裏側に取付けられており、鏡部２３の表面に視覚的影響を与えないようになっている。この一対の蝶番３５により、鏡部２３を矢印Ｄに示すように水平方向に揺動させる揺動手段３４が構成されている。
【００１７】
中部鏡２０と上部鏡２１は連結部４０で連結され、中部鏡２０と下部鏡２２も同様に連結部４０で連結されている。連結部４０では、中部鏡２０と上部鏡２１（または、下部鏡２２）とを連結するための一対の蝶番４１が設けられている。この蝶番４１は、鏡部２３の表面に視覚的影響を与えない位置に設けられている。
上部鏡２１と下部鏡２２は、それぞれ連結部４０を介して揺動可能なので、中部鏡２０と同一平面状態になるように真っ直ぐになったり、連結部４０で折り曲げられた状態になったりする。
【００１８】
連結機構２４は、中部鏡２０の裏面側に配置されて、裏蓋により覆われている。連結機構２４は、中部鏡に支持された回転板４２と、回転板４２に連結され、矢印Ｅ2に示すように互いにほぼ平行に且つ逆方向に往復移動自在な一対の連結棒４３と、中部鏡２０に固定されて連結棒４３を案内支持する複数のガイド部材４４とを有している。
回転板４２は、矢印Ｅ1に示すように、回転中心Ｃ1を中心として正逆方向に回転可能である。回転可能な角度範囲は、回転板４２と中部鏡２０に設けられた規制手段４５により規制されている。
回転板４２には、回転中心Ｃ1を中心とする点対称の位置に、一対のピン４６が取付けられている。連結棒４３は、ピン４６を介して回転板４２に相対的に揺動自在に連結されている。
上部鏡２１用の連結棒４３の下方端部は、ピン４６を介して回転板４２に相対的に揺動自在に連結されており、この連結棒４３の上方端部は、上部鏡２１に取付けられた被連結部材４７に、ピン４８を介して相対的に揺動自在に連結されている。
これと同様に、下部鏡２２用の連結棒４３の上方端部は、ピン４６を介して回転板４２に相対的に揺動自在に連結されており、この連結棒４３の下方端部は、下部鏡２２に取付けられた被連結部材４７に、ピン４８を介して相対的に揺動自在に連結されている。
【００１９】
したがって、ユーザーが下部鏡２２を手前に折り曲げ操作すれば、下部鏡２２は連結部４０で折り曲げられる。これと同時に、下部鏡２２に固定された被連結部材４７が連結棒４３を下方に引っ張るので、一方のピン４６を介して回転板４２が一方向に回転する。
その結果、他方のピン４６を介して、上部鏡２１用の連結棒４３が上方に押し上げられる。この連結棒４３による力は、ピン４８，被連結部材４７を介して上部鏡２１をユーザー側に折り曲げ動作させる。こうして、上部鏡２１と下部鏡２２は、連動機構２４を介して連動し、中部鏡２０に対してそれぞれ同じ角度だけユーザー側に同時に折り曲げられる。
このように、ユーザーが下部鏡２２のみを手前に折り曲げ操作するだけで、連動機構２４を介して上部鏡２１も連動して手前に折り曲げられるので、従来は見えにくかった頭の上部や顔の下部を容易に見ることができる。すなわち、下部鏡２２を覗くと頭頂部を確認でき、上部鏡２１を覗くと顎の下など顔の下部を確認できる。
上部鏡２１は高い位置にあるので手が届き難いが、下部鏡２２のみを揺動操作すれば、連動機構２４を介して上部鏡２１も連動して同時に揺動動作するので、下部鏡２２と上部鏡２１を容易に折り曲げたり元に戻したりすることができる。
【００２０】
縦型三面鏡１はロック機構５０を有している。連動機構２４とロック機構５０は、それらの機構部が外部に露出しないように、鏡部２３の裏面側に内蔵されている。
ロック機構５０は、下部鏡２２の裏面側２５の下方内部に設けられ一方側（矢印Ｇ方向）に付勢されて揺動可能な爪部材５１と、引き出し３２の前面３３に設けられ、爪部材５１を係合離脱可能に係止する係止部材５２とにより構成されている。爪部材５１は、付勢部材たとえばコイルばね５６により、下部鏡２２の表面側の鏡とは逆方向に常時付勢されている。
【００２１】
下部鏡２２を手で後方に押せば、爪部材５１がコイルばね５６のばね力（付勢力）により係止部材５２に係止されて、ロック機構５０はロック状態になる。このロック状態のときは、鏡部２３全体が、引き出し３２の前面３３に沿って平面状をなして前方（矢印Ｂ方向）を向いて、前面３３に位置決め保持される（図１の状態）。
爪部材５１には、ユーザーが指５４で操作するための操作部５５が設けられている。指５４を操作部５５に引っ掛けて、爪部材５１をコイルばね５６のばね力に抗して手前に引っ張れば、爪部材５１が係止部材５２から離脱して、ロック機構５０がアンロック状態になる。このアンロック状態のときは、下部鏡２２が折り曲げ可能になり、また、鏡部２３は、矢印Ｄに示すように水平方向に揺動可能になる。
【００２２】
鏡部２３を使用しないときには、下部鏡２２が引き出し３２の前面３３にロック機構５０により位置決め保持されて、鏡部２３が平面状になって安定した状態で収納される。したがって、鏡部２３が不安定な状態で動いてしまうのを防止することができる。
ロック機構５０は、下部鏡２２の下部に配置されているので、ユーザーは無理な姿勢をとらなくても、指５４で爪部材５１を引っ張るという簡単なワンタッチ操作で、爪部材５１を動かしてロック機構５０をアンロック状態にすることができる。これにより、下部鏡２２を折り曲げたり、鏡部２３を水平方向に揺動させることができる。
また、手で下部鏡２２を後方に押せば、ワンタッチでロック機構５０を簡単にロック状態にして、下部鏡２２を引き出し３２の前面３３に位置決め保持することができる。
【００２３】
縦型三面鏡１は壁１０に沿って配置されているが、鏡部２３は揺動手段３４を介して水平方向に揺動可能なので、ユーザーは、壁１０側の狭い場所まで顔を持って行かなくてもよい。
すなわち、ユーザーは、洗面化粧台３の前方に座ったまままたは立ったままで、鏡部２３を、手前に引っ張って矢印Ｄに示すように揺動させて自分の方を向ければ、ユーザーは、そのままの位置で横を向くだけで鏡部２３を使用することができる。
また、縦型三面鏡１の使用後は、鏡部２３を手で押して水平に揺動させて前方に向ければ、鏡部２３が邪魔になることはない。
【００２４】
以上、本発明の一実施例を説明したが、本発明は、上述の実施例に限定されるものではなく、本発明の要旨の範囲で種々の変形，付加などが可能である。
なお、各図中同一符号は同一または相当部分を示す。
【産業上の利用可能性】
【００２５】
本発明は、洗面室に設置される洗面化粧台の構成要素または付属品として使用されるほか、縦型三面鏡単独で洗面室，寝室，居間などに設置することもできる。
【図面の簡単な説明】
【００２６】
【図１】図１ないし図７は本発明の一実施例を示す図で、図１は、縦型三面鏡と洗面化粧台の斜視図である。
【図２】図１に示す縦型三面鏡の使用状態を示す斜視図である。
【図３】鏡部の斜視図である。
【図４】鏡部の使用時の状態を示す斜視図である。
【図５】鏡部の内部の連動機構を示す説明図である。
【図６】中部鏡と上部鏡との連結部を示す斜視図である。
【図７】ロック機構を示す拡大断面図である。
【符号の説明】
【００２７】
１      縦型三面鏡
３      洗面化粧台
２０    中部鏡
２１    上部鏡
２２    下部鏡
２３    鏡部
２４    連動機構
２５    裏面
３０    収納庫
３１    キャビネット
３２    引き出し
３３    前面
３４    揺動手段
５０    ロック機構
５１    爪部材
５２    係止部材
Ｆ      床面
【図１】
2005287540.tif 000003
【図２】
2005287540.tif 000004
【図３】
2005287540.tif 000005
【図４】
2005287540.tif 000006
【図５】
2005287540.tif 000007
【図６】
2005287540.tif 000008
【図７】
2005287540.tif 000009